(57)【特許請求の範囲】
【請求項１】
正面または上方に吸い込み口を有し、正面の下方に吹き出し口を有し、居室内コーナーの２方向の壁に取り付けられる空気調和機において、空気調和機本体は、合成樹脂で形成した台枠、熱交換器、補助配管を有し、前記空気調和機本体を据え付ける据付板を、壁面２面に取り付ける左据付板と、右据付板と、左右両端に複数個設けた水平な長穴状の固定穴を介して前記左据付板、右据付板と連結固定する前据付板とで構成し、前記前据付板の上部には、前記台枠の背面上部に形成した本体掛け部が係合する空気調和機支持部を設け、前記前据付板の下部には、前記台枠の背面下部に形成した抜け止め部が係合する空気調和機固定部を設けた空気調和機。
【請求項２】
前据付板の正面下方の中央に補助配管貫通長穴を設けると共に、台枠の裏面に収納した補助配管を、前記補助配管貫通長穴を介して前据付板の裏面側に導出した請求項１記載の空気調和機。
【請求項３】
左据付板、右据付板に、壁に接する壁取付部と上部を内側に水平に折り曲げた上部折り曲げ部を設け、前記壁取付部には複数のネジ座を設け、また上部折り曲げ部には複数のスリット穴を設け、前記ネジ座とスリット穴を同一垂直線上に形成し、縦方向に長穴を有する天井当て金具を、前記スリット穴に上部から挿通すると共に、前記天井当て金具を上下調節自在にネジで前記ネジ座に固定した請求項１記載の空気調和機。
【請求項４】
台枠の左右外側に、一端は平板状で壁面に沿う壁接触面を形成した補助台枠を設け、前記補助台枠を被う前面グリルを設け、その前面グリルの正面左右に前記補助台枠を臨む取っ手穴部を設け、前記補助台枠または前記前面グリルのいずれか一方または両方に取っ手構造を形成すると共に前記取っ手穴部を被う飾り桟を設けた請求項１記載の空気調和機。
【請求項５】
左据付板、右据付板、前据付板を、それぞれの据付板上部で略水平面を形成するように略同一高さに設け、その上部に折り曲げ可能な平板状の合成樹脂製の天面カバーを設けた請求項１記載の空気調和機。
【請求項６】
左据付板、右据付板、前据付板を、それぞれの据付部下部で略水平面を形成するように略同一高さに設け、その下部を被って底板を設け、その底板に、底板の外周に上部に凸なる立ち上がりと、配管穴切り欠き部を囲む立ち上がりリブを設けた請求項１記載の空気調和機。
【請求項７】
底板を後底板と前底板で一部重合して構成し、重合した底板の上面一端に底板と一体に形成したドレンホース固定部を設けた請求項１または６記載の空気調和機
。
【発明の詳細な説明】
【０００１】
【発明の属する技術分野】
本発明は、室内のコーナー部に設置され、冷房あるいは暖房を行う空気調和機に関するものである。
【０００２】
【従来の技術】
従来にけるこの種の空気調和機は、図１６〜図１９の構成となっている。すなわち、図１６は、空気調和機本体１０１を居室内コーナー壁に設置した形態で空気調和機本体と据付装置とを分離した斜視図、図１７は図１６の設置形態での天井上から見た平面図、図１８は同形態の配管接続を示す平面図、図１９は同形態のドレンホースの引き回しを示す平面図である。
【０００３】
空気調和機本体１０１は、居室内の天井と２方向の壁のコーナーに密接して取り付けられ、下方に吸い込みグリル１０２を有し、円弧の部分に吹き出し口１０３を有している。１０４は、鋼板製の台枠で、空気調和機本体の天面及び両側面を形成している。クロスフローファン、熱交換器、水受け皿等は図示してないが台枠１０４の内部に各々支持されて設けられている。１０５は、台枠の両側面外側に形成された引掛け具であり、１０６は、台枠１０４の一側面に設けられた熱交換器から導出する補助配管であり、１０７は、水受け皿に接続されたドレンホースである。
【０００４】
また、１０８は空気調和機本体を壁面に支持する据付板で、左右一対で構成され、かつ各々本体受け部１０９と複数の天井当て部１１０と、配管穴切り欠き部１１１を有している。
【０００５】
据付板１０８は、隣接する２方向の壁にそれぞれの天井当て部１１０を天井面に接して対称に取り付けられる。配管穴切り欠き部１１１は、据付板１０８を壁面に固定したのち据付場所の状況に応じて配管貫通穴１１２を設けて、室外からの接続配管１１３が挿通される。
【０００６】
また、１１４は、天面カバーであり、鋼板で形成されて、空気調和機本体１０１の台枠１０４と据付板１０８を連結して空気調和機本体１０１の上部カバーとして設けられている。
【０００７】
このように構成された空気調和機は、据付板１０８の本体受け部１０９に空気調和機本体１０１の引掛け具１０５を上部から係合させて空気調和機本体１０１が設置され、その後天面カバー１１４が設けられ、また、補助配管１０６と接続配管１１３の接続、ドレンホース１０７の接続及び引き回しが行われる。
【０００８】
【発明が解決しようとする課題】
ところが、上記のような従来の構成では、空気調和機本体１０１を壁面に支持する据付板１０８が左右のみであるため空気調和機本体１０１の剛性を強化して据付の強度を確保する必要があり、空気調和機本体の基本構成を形成する台枠１０４を鋼板製とすることが不可欠であった。
【０００９】
そのため空気調和機本体の重量が重くなり、取り扱い性や施工性に欠けていた。また据付板１０８の左右の本体受け部１０９に空気調和機本体１０１の左右の引掛け部１０５を直接係合させるため据付板１０８の取付の誤差が空気調和機本体１０１の据付に直接影響され、据付の精度が悪いという課題があった。
【００１０】
また、同じく据付板の左右のみで剛体の空気調和機本体１０１を据え付けようとするため、２方向の壁の間における角度のバラツキに対して設置の余裕度がなくさらに据付性に劣るという課題があった。
【００１１】
また、補助配管１０６が台枠１０４の一側面に形成されているため、補助配管１０６側に配管貫通穴１１２を設けた時には、接続配管１１３との接続のときに図１８のように接続配管１１３を引き回すことが必要で接続配管１１３の曲げ加工が困難で作業性が悪いという課題もあった。
【００１２】
また、据付板１０８の天井当て部１１０が据付板１０８に一体で形成されているため、空気調和機本体１０１の据付高さの選択ができないばかりでなく、天井当て部１１０が据付板１０８から上方に突き出しているから、製品の包装サイズが大きくなったり、また天井当て部１１０が外力を受けて容易に変形したりするという課題もあった。
【００１３】
また、空気調和機本体１０１を据付板１０８に据え付ける際、空気調和機本体１０１の左右を支持すれば、壁面との空間がなくて据え付けが困難で、本体の中央の吹き出し口１０３近傍や台枠１０４の一部を支持することが必要となり、本体を掴む部位に制約があってしかも不安定な据付作業となっていた。
【００１４】
また、天面カバー１１４が鋼板製のため重量が重いばかりでなく、上記の天井当て部１１０のように製品の包装サイズが大きくなったり、端面のエッジのため電線との接触などに対して保護を要するなどという課題もあった。
【００１５】
また、補助配管１０６と接続配管１１３を接続した際、配管の断熱が不十分であると、配管の結露水が吸い込みグリル１０２の開口部から居室内に滴下するという課題もあった。
【００１６】
また、ドレンホース１０７は、図１９のように水受け皿から配管貫通穴１１２に引き回されるが、水平の距離が長いため波打ちを起こしやすく容易にドレン水の排水不良となってしまうという課題も有していた。
【００１７】
本発明は、上記のような従来の課題を解決するものであり、居室内のコーナー壁に設置する空気調和機の据付性、配管作業性、梱包性、把手性、ドレン排水性などを向上させる据付装置を提供することを目的とする。
【００１８】
【課題を解決するための手段】
上記課題を解決するために本発明は、空気調和機本体を据え付ける据付板を、壁面２面に取り付ける左据付板、右据付板と、それら左据付板、右据付板を左右両端に複数個設けた水平な長穴状の固定穴を介して連結する前据付板で構成し、その前据付板に台枠を合成樹脂で形成した空気調和機本体を据付けものである。
【００１９】
このような構成により、据付板のみで強固な据付構成が形成できて、空気調和機本体を軽量化することができ、また前据付板と空気調和機本体が相対して設置できて据付の誤差と関係なく据付が可能となる。
【００２０】
【発明の実施の形態】
第１の発明は、正面または上方に吸い込み口を有し、正面の下方に吹き出し口を有し、居室内コーナーの２方向の壁に取り付けられる空気調和機において、空気調和機本体は、合成樹脂で形成した台枠、前面グリル、吹き出し口、吸入グリル、熱交換器、補助配管を有し、前記空気調和機本体を据え付ける据付板を、壁面２面に取り付ける左据付板、右据付板と、それら左据付板、右据付板を左右両端に複数個設けた水平な長穴状の固定穴を介して連結する前据付板で構成し、前記前据付板の上部には、前記台枠の背面上部に形成した本体掛け部が係合する空気調和機支持部を設け、前記前据付板の下部には、前記台枠の背面下部に形成した抜け止め部が係合する空気調和機固定部を設けたものである。
【００２１】
この構成により、据付板が３点連結されて三角柱形状をなし強固な据付構成ができ、空気調和機本体の剛性を低下させることができる。
【００２２】
また、前据付板と空気調和機本体が精度の高い係合状態となって据付の誤差の影響を受けない。
【００２３】
また、前据付板の左右両端に複数個設けた水平な長穴状の据付板固定穴を介して前記前据付板を左据付板、右据付板と連結固定した構成により、据付板固定穴の長穴の範囲で左据付板と右据付板の間の角度を可変できる。
【００２４】
第２の発明は、前据付板の正面下方の中央に補助配管貫通長穴を設けると共に、台枠の裏面に収納した補助配管を、前記補助配管貫通長穴を介して前据付板の裏面側に導出したものであり、この構成により、補助配管の取り出し位置を中央とすることができてどの方向に配管貫通穴位置を設けてもスムーズな配管の引き回しができる。
【００２５】
第３の発明は、左据付板、右据付板に、壁に接する壁取付部と上部を内側に水平に折り曲げた上部折り曲げ部を設け、前記壁取付部には複数のネジ座を設け、また上部折り曲げ部には複数のスリット穴を設け、前記ネジ座とスリット穴を同一垂直線上に形成し、縦方向に長穴を有する天井当て金具を、前記スリット穴に上部から挿通すると共に、前記天井当て金具を上下調節自在にネジで前記ネジ座に固定したものであり、この構成により、天井当て金具を天井面にあわせて長穴の範囲で上下移動させることができる。
【００２６】
第４の発明は、台枠の左右外側に、一端は平板状で壁面に沿う壁接触面を形成した補助台枠を設け、前記補助台枠を被う前面グリルを設け、その前面グリルの正面左右に前記補助台枠を臨む取っ手穴部を設け、前記補助台枠または前記前面グリルのいずれか一方または両方に取っ手構造を形成すると共に前記取っ手穴部を被う飾り桟を設けたものであり、この構成により、壁面と関係なく空気調和機本体の両サイドの取っ手部分に手をかけることができる。
【００２７】
第５の発明は、左据付板、右据付板、前据付板を、それぞれの据付板上部で略水平面を形成するように略同一高さに設け、その上部に折り曲げ可能な平板状の合成樹脂製の天面カバーを設けたものであり、この構成により、天面カバーは、折り曲げて収納面積を半減でき、広げて据付板の略水平面を被っている。
【００２８】
第６の発明は、左据付板、右据付板、前据付板を、それぞれの据付部下部で略水平面を形成するように略同一高さに設け、その下部を被って底板を設け、その底板に、底板の外周に上部に凸なる立ち上がりと、配管穴切り欠き部を囲む立ち上がりリブを設けたものであり、この構成により、立ち上がりと立ち上がりリブで底板に囲いができ結露水を保持できる。
【００２９】
第７の発明は、底板を後底板と前底板で一部重合して構成し、重合した底板の上面一端に底板と一体に形成したドレンホース固定部を設けたものであり、この構成により、ドレンホースの中間部の案内および支持ができる。
【００３０】
以下本発明の実施の形態について図面を参照して説明する。
【００３１】
（実施の形態１）
図１は本発明の実施の形態における空気調和機で、空気調和機を居室内に設置した場合の下から見上げたときの斜視図であり、図２は、同上の場合の上から見たときの斜視図である。また、図３は、図１の主要部分の分解斜視図である。図４〜図１５はその他詳細構造を示す図である。
【００３２】
図１〜図１５において、まず、空気調和機本体の構成について説明する。１は空気調和機本体であり、居室内の天井ａと２方向の壁ｂ、ｃのコーナーに近接して取り付けられている。
【００３３】
この空気調和機本体１は、水平断面が略扇形をし、正面及び上方に吸い込み口２、３を有し、正面の下方に吹き出し口４を有している。５は、台枠であり、６は、前面グリルである。７は、吸い込み口２を形成する吸入グリル、８は、吸入グリル７の左右に設けられる飾り桟、９は、上下フラップ、１０は、前後に２分割される底板、１１は、天面カバーである。なお、後述するが、この底板１０及び天面カバー１１は、空気調和機本体そのものではなく現場取付の据付部品のようなものである。
【００３４】
前記台枠５は、合成樹脂で矩形状に強固に形成されており、正面の大部分には通風回路が形成されると共に、裏面には図４に示すように上部には複数の本体掛け部１２と下部には複数の抜け止め部１３が形成される。
【００３５】
また、台枠５の通風回路部分には図示していないが、クロスフローファンが設けられ、クロスフローファンを被うように熱交換器１４が設けられている。熱交換器１４から導出し室外機と冷媒配管接続される補助配管１５は、台枠５の裏面側に収納されている。また、台枠５の下側前方には、熱交換器１４の下方と台枠５の通風回路を連結するように吹き出しグリル１６が設けられている。
【００３６】
吹き出しグリル１６は、熱交換器１４からのドレン水を受けると共に前記吹き出し口４を形成し、また前記上下フラップ９を保持している。また、台枠５の右側にはこの空気調和機本体１の運転を制御する電装部１７が設けられている。
【００３７】
また、台枠５の左右外側には、補助台枠１８、１９が設けられる。補助台枠１８、１９は、各々対称の形状で合成樹脂からなり、台枠５の高さと同一高さで上部から見て手前広がりの略三角形状に形成され、縦方向内側面の台枠接触面２０が台枠５のそれぞれの側面に接し、図５のように台枠接触面２０の前側に掛け止め部２１を設けて台枠５の側面の前側を被い、さらに複数の裏面から挿入された固定具２２により台枠５の側面を挟み込んでネジで圧着固定されることにより設けられる。
【００３８】
縦方向他面の壁接触面２３は、平板状で壁ｂまたはｃに近接した形態となり、その前半分の外周は、前面グリル６の内側に接した輪郭となっている。また、補助台枠１８、１９の中央部手前には、左右外側に取っ手開口部２４を有した箱形状に突出して取っ手部２５が各々形成される。
【００３９】
また、前記前面グリル６は、上部から見て前端は円弧状、後端は直線状で、その側面は壁に近接した形状であり、上面には横方向の複数の吸い込み格子２６を介して前記の吸い込み口３を、正面は、吸入グリル７を介して吸い込み口２を、斜め前方下面は、前記吹き出しグリル１６に臨んで吹き出し口４を形成している。
【００４０】
そして、その上端を台枠５の上部と接し、下端を吹き出しグリル１６と台枠５に接し、また左右は補助台枠１８、１９と接する形で設けられている。
【００４１】
また、２７は、前面グリル６の正面左右に設けられた取っ手穴部である。取っ手穴部２７は前面グリル６の正面左及び右から４方の壁面を後面方向に延出して箱形状をなし、図６のように側面外側の壁面に飾り桟引っかけ穴２８、内側の壁面に飾り桟固定爪２９、中央に開口穴３０、飾り桟固定爪２９と開口穴３０の間に縦方向の取っ手リブ３１、飾り桟固定爪２９と取っ手リブ３１を連結して補助台枠接触面３２を形成している。
【００４２】
この取っ手穴部２７と前記の補助台枠１８、１９の取っ手部２５との係合状態は、補助台枠接触面３２と取っ手部２５が密着形態となり、また開口穴３０を介して取っ手開口部２４が臨む形態となる。取っ手穴部２５の左右は完全に対称の形状となっている。
【００４３】
また、正面の吸入グリル７は、前面グリル６の円弧状形状にほぼ接して同様の円弧状で高さ略一定に形成され、ルーバー形状をした吸い込み口２が設けられている。また吸入グリル７には、左右一対のレバーアーム３３、３４が設けられ、レバーアーム３３、３４の軸受け部３５が前面グリル６に形成された一対の軸部（図示なし）と回転可能に係合されることによって吸入グリル７は、上下に開閉可能となり、エアフィルター３６のメンテナンスが容易にできるようになっている。
【００４４】
また、吸入グリル７の左右の飾り桟８、８は、吸入グリル７とほぼ同一の縦断面形状をして取っ手穴部２７を被って設けられている。つまり、飾り桟８、８の裏面には、図６のように前面グリル引っかけ片３７と前面グリル固定穴３８が形成され、前面グリル引っかけ片３７が飾り桟引っかけ穴２８に係合し、前面グリル固定穴３８が飾り桟固定爪２９に係合されて固定される。飾り桟８、８は、左右対称の形状であることは言うまでもない。
【００４５】
次に、同図において、据付構成について説明する。３９は、左据付板であり、４０は右据付板、４１は、前据付板である。これらの据付板は、前述のように居室内の天井ａと２方向の壁ｂ、ｃのコーナーに近接して設けられる。
【００４６】
つまり左据付板３９は、壁ｂに、右据付板４０は、壁ｃに設けられ、前据付板４１は、左据付板３９の左端と右据付板４０の右端を連結して居室の正面に向かって設けられる。
【００４７】
前記左据付板３９は、複数の取付穴４２を有し壁ｂに接する壁取付部４３と、その上部を内側に水平に折り曲げた上部折り曲げ部４４と、その左端を手前に折り曲げた左折り曲げ部４５とその下部を内側に水平に折り曲げた下部前折り曲げ部４６、下部後折り曲げ部４７と、下部の折り曲げ部分を断ち切るように設けた配管貫通穴４８を設けるための配管穴切り欠き部４９とその右端を折り曲げて壁Ｃと接触させる壁当て部５０で構成される。
【００４８】
そして、上部折り曲げ部４４には、一定間隔をあけて設けられる複数のスリット穴５１と左折り曲げ部４５近傍に据付板引っかけ穴５２が形成され、図７のようにそれぞれのスリット穴５１には、Ｌ形状をした天井当て金具５３が上方から垂直方向に挿入されて固定ネジ５４で壁取付部４３に凸状に形成されたネジ座５５に固定されている。
【００４９】
この天井当て金具５３には、縦方向の長穴５６が形成されていて天井当て金具５３の固定高さを適宜調整できるようになっている。また、左折り曲げ部４５には、複数の据付板結合穴５７が設けられ、その裏面にはナット（図示なし）が溶接されている。また、下部前折り曲げ部４６の配管穴切り欠き部４９近傍には、底板用ネジ下穴５８が設けられている。
【００５０】
また、前記右据付板４０は、左据付板３９に対して壁ｂと接触させる壁当て部５０の上下位置が異なるのみでありその他の形状は、左据付板と左右対称に構成されているので記載を省略する。
【００５１】
また、前記前据付板４１は、その４辺を壁側に折り曲げて形成した据付板本体部５９と、その上部の一辺に切り起こして水平に設けた複数のＬ形断面の空気調和機支持部６０と、据付板本体部５９の上部の両端に下方に折り曲げて設けた据付板引っかけ爪６１と、据付板本体部５９の左右両端に設けた水平で長穴状に形成される複数の据付板固定穴６２と、据付板本体部５９の下方中央に設けた補助配管貫通長穴６３と、据付板本体部５９の下方左右端に設けたドレンホース貫通穴６４と、据付板本体部５９の下方にその一辺が前側に突き出すよう固定された複数のＬ形断面の空気調和機固定部６５で構成される。
【００５２】
そして、前据付板４１の高さは、左据付板３９及び右据付板４０と略同一高さである。
【００５３】
つまり、前据付板４１の据付板本体部５９上部の一辺と左据付板３９、右据付板４０の上部折り曲げ部４４で略水平面を形成し、また据付板本体部５９の下部の一辺と同上の下部折り曲げ部４６、４７で同様に略水平面を形成している。
【００５４】
そして、前据付板４１の左右の据付板引っかけ爪６１と左据付板３９、右据付板４０のそれぞれの据付板引っかけ穴５２が係合して、また同じく据付板固定穴６２と据付板結合穴５７が合致して設けられる。
【００５５】
また、前記底板１０は、図８及び図９のように前述した前据付板４１の据付板本体部５９下部の一辺と左据付板３９、右据付板４０の下部折り曲げ部４６、４７で形成する略水平面図の下側を被い、前記の前面グリル６の壁側に前面グリル６の下面と高さを一致させて設けられる。
【００５６】
すなわち、底板１０は、上部から見て略三角形状で前面グリル６の下側で前面グリル６と壁との空間部を被って設けられている。そして、部品の収納容易化のため、前面グリル６側を前底板６６で、壁側を後底板６７で、相互に接する部分を一部重合して２分割して構成される。
【００５７】
そして、後底板６７には、外周に上部に凸なる立ち上がり６８を設け、また、その後ろ側の壁コーナーの近傍に据付板引っかけ部６９が設けられる。またその前には、配管切り取り部７０とその周囲を囲む立ち上がりリブ７１が設けられる。
【００５８】
配管切り取り部７０は、接続配管８３が下から引き回されるときに切り取られる部分でその外周にスリットを設けて切断容易に形成される。また、後底板６７の前側には、据付板固定長穴７２と前底板の係止穴７３とドレンホース固定部７４が設けられる。
【００５９】
ドレンホース固定部７４は、図１０のように後底板６７の前底板６６と重合する平面部分から壁面と平行な開口をその上部に有した対向した舌板７５として形成され、形成容易化のため下方に穴７６を設け、また舌板７５の間隔はドレンホース７７の外形とほぼ同一で、その上部の開口はドレンホース７７の外形よりやや小さく形成される。
【００６０】
つまり、ドレンホース７７は、舌板７５で挟み込まれるように設けられ、底板後６７に密着して保持される。そして、後底板は、左据付板３９、右据付板４０の下部後折り曲げ部４７に据付板引っかけ部６９が係合し、据付板固定長穴７２で、底板用ネジ下穴５８にネジ固定されて設けられる。
【００６１】
また、前底板６６には、同様に外周に上部に凸なる立ち上がり６８を設け、その後側に複数の底板係止突起７８と、前側に複数の底板係止爪７９が設けられる。前底板６６は、後底板６７の前底板係止穴７３に底板係止突起７８が下方から挿入されて掛けられ、底板係止爪７９が、前据付板４１の据付本体部５９の下に係合して固定されて設けられる。
【００６２】
また、前記天面カバー８０は、図８のように前据付板４１の据付板本体部５９上部の一辺と左据付板３９、右据付板４０の上部折り曲げ部４４で形成する略水平面を被い、台枠５の壁側に、台枠５の高さと略一致させて設けられる。すなわち、天面カバー８０は、上部から見て略三角形状で、台枠５と壁でできる空間部を被って設けられる。
【００６３】
そして、天面カバー８０は、合成樹脂製で平板状に形成され、その断面には多数の中空部が前後方向並列に設けられており、図１１のように上部から断面の半分まで切り込みを入れて前後に２分割した形となっている。つまり図１２のように折り曲げ可能に形成されている。
【００６４】
また、その裏面には、両面テープ８２が設けられ、天面カバー８０は、前記据付本体部５９の上部一辺や上部折り曲げ部４４に接着して設けられる。
【００６５】
次に、このような空気調和機の据付装置の据付手順について説明する。
【００６６】
まず、左据付板３９及び右据付板４０の天井当て金具５３を据付場所の状況に合わせた最適の長さに調整して固定ネジ５４で固定する。この場合、調整を省略して、天井当て金具５３の長穴５６の最下部を使用して天井当て金具５３の高さが最大となるようにしても良い。
【００６７】
そして、左据付板３９を居室内の天井ａと２方向の壁ｂ、ｃのコーナー付近に持ち込み、壁ｂにおいて、天井当て金具５３を天井ａと、壁当て部５０を壁ｃと接触させて、壁取付部４３の取付穴４２に複数のネジを用いて左据付板３９を固定する。また、同様に、右据付板４０を壁ｃに固定する。もちろん、左据付板３９、右据付板４０は、取付順序は逆でもかまわない。
【００６８】
次に、左据付板３９、右据付板４０のどちらかの配管穴切り欠き部４９の最適な位置に配管貫通穴４８をあける。この配管貫通穴４８は、据付場所の筋交い等の障害を避けて選択する必要がある。
【００６９】
そして、次に、左据付板３９と右据付板４０の上部折り曲げ部４４に設けた据付板ひっかけ穴５２に、前据付板４１の上部両端の据付板引っかけ爪６１を挿入して、前据付板４１を引っかけ、左据付板３９及び右据付板４０の据付板結合穴５７と前据付板４１の左右両端の据付板固定穴６２を合致させて前据付板４１をネジで固定する。これで、据付板の３点が連結された状態で天井ａと壁ｂ、ｃのコーナー部に固定されたことになる。
【００７０】
次に、空気調和機本体１を前据付板４１に搭載する。このとき空気調和機本体１の飾り桟８、８を外した状態で前面グリル６の取っ手穴部２７を介して、補助台枠１８、１９の左右の取っ手部２５に手を入れて取っ手部２５と前面グリル６取っ手リブ３１を挟んで空気調和機本体１を持ち上げ、台枠５の裏面の本体掛け部１２を前据付板の空気調和機支持部６０に引っかけ、また抜け止め部１３を空気調和機固定部６５に臨ませて空気調和機本体１を前据付板４１に固定する。空気調和機本体１の固定後、前面グリル６の飾り桟引っかけ穴２８および飾り桟固定爪２９と、飾り桟８、８の前面グリル引っかけ片３７と前面グリル固定穴３８を係合させて左右の飾り桟８、８を取り付ける。
【００７１】
そして、その次は冷媒配管接続、電線及びドレンホースの接続である。冷媒配管接続は、台枠５の裏面に収納された補助配管１５を前据付板４１の下方中央の補助配管貫通穴６３を介して壁側に折り曲げ、室外側から引き回され配管貫通穴４８から挿入された冷媒配管と接続して行う。
【００７２】
補助配管１５の配管は、コイルバネ（図示なし）で被われているため折り曲げても配管の扁平等は起こらない。
【００７３】
電線の接続は、電線を前据付板４１の右下のドレンホース貫通穴６４を介して台枠５の電装部１７に引き回して行う。また、ドレンホース７７の接続は、ドレンホース７７を配管貫通穴４８の位置に応じて前据付板４１の左または右のドレンホース貫通穴６４を介して引き回し行い、ドレンホース７７の途中は、その後取り付ける後底板６７のドレンホース固定部７４に保持固定される。
【００７４】
最後は、天面カバー８０と底板１０の取付である。天面カバー８０は、折り曲がった形状を広げて平板状にしたのち、組み付けられた３点の据付板の上部に臨ませ、下面の両面テープ８２で据付本体部５９の上部一辺や上部折り曲げ部４４に接着して取付られる。また、底板１０は、後底板６７、前底板６６の順序で取付られる。
【００７５】
後底板６７は、左据付板３９、右据付板４０の下部後折り曲げ部４７に後底板６７の据付板引っかけ部６９を臨ませ、据付板固定長穴７２を介して左据付板３９、右据付板４０の下部前折り曲げ部４６に取り付けられる。この状態で前述のようにドレンホース７７を後底板６７のドレンホース固定部７４に保持させる。
【００７６】
そして、前底板６６の取付は、後底板６７の前底板係止穴７３に前底板６６の底板係止突起７８を挿入し、前底板６６の底板係止爪７９を前据付板４１の据付板本体部５９の下に固定して行う。
【００７７】
以上のように、据付板を、左据付板３９、右据付板４０に連結して前据付板４１を設けて据付板３点で三角柱形状を構成したから、据付板のみで強固な据付構成を形成でき、空気調和機の剛性を低減させることが可能となる。
【００７８】
すなわち空気調和機本体１の台枠５の合成樹脂化を達成することができる。そのため空気調和機本体１が軽量化できて取り扱い性や据付性を向上させることができる。
【００７９】
また前据付板４０に空気調和機支持部６０や空気調和機固定部６５を形成し、空気調和機本体の台枠５の背面に同様に本体掛け部１２と抜け止め部１３を設けて、前据付板４１と空気調和機本体１の台枠５が直接係合して取付られるから、据付板の取付誤差に関係なく前据付板４１と空気調和機本体１との安定した据付構造を確保できる。
【００８０】
また、前据付板４１の左右両端に設けた据付板固定穴６２を、水平で長穴状に形成しているため、壁ｂと壁ｃの間の角度が直角でなくばらついていても対応できる。
【００８１】
つまり、左据付板３９、右据付板４０、前据付板４１は、壁角度が広い場合には、図１４の実線のような形となり、壁角度が狭い場合には、破線のようになって、前据付板４１の据付板固定穴６２でのネジの固定位置が図１５のようにｄまたはｅのように変化して対応可能となる。
【００８２】
また、据付板引っかけ穴５２に据付板ひっかけ爪６１が挿入されているため、ネジを使用する前でも、前据付板４１が落下することなく安全な作業が行える。据付板引っかけ穴５２と据付板引っかけ爪６１は、壁の角度に対応できるように左右の余裕があることは言うまでもない。
【００８３】
また、左据付板３９、右据付板４０に天井当て金具５３と壁当て部５０を設けているから、据付板の位置決めが容易にでき精度の高い施工を行うことができる。
【００８４】
また、左据付板３９、右据付板４０、前据付板４１は、折り曲げや打ち抜き主体の形状であるから加工が容易で、そのほとんどの外周に折り曲げを形成しているから十分な強度を有している。
【００８５】
また、左据付板３９、右据付板４０の天井当て金具５３は、上下に可動できるから、製品として包装するときには、縮小形態として包装サイズを小型化することができ、また輸送時に外力を受けて変形することもない。
【００８６】
また、現場で使用するときは、必要な高さに調整して空気調和機の据付高さを最適な高さとすることができる。
【００８７】
また、左据付板３９、右据付板４０の上部折り曲げ部４４にスリット穴５１を設けて天井当て金具５３を挿入して設けているから、天井当て金具５３の上下の可動動作が安定し、壁取付部４３に凸状のネジ座５５を設けているからネジの先端が据付板の背面に突き出すこともない。
【００８８】
また、空気調和機本体１裏面の補助配管１５は、空気調和機本体１を前据付板４１に搭載するときは、台枠５の裏面に収納したままであるから、搭載は容易であり、また、補助配管１５を前据付板４１の下部中央の補助配管貫通長穴６３を介して壁側に折り曲げると補助配管１５の位置は、据付板で形成する３角形状のほぼ中央となり、配管貫通穴４８の位置が左据付板３９、右据付板４０のいずれに設けられても接続配管８３の引き回しは容易となり曲げ加工の作業性が向上する。尚、ここでは、補助配管１５の折り曲げを空気調和機本体１の前据付板４１への搭載後としたが、搭載前に折り曲げても同様の効果が期待できる。
【００８９】
要するに、補助配管１５を空気調和機本体１の中央部から壁側に突き出す構造によりいずれの配管貫通穴位置に対しても据付性を確保できるのである。
【００９０】
また、空気調和機本体１を前据付板４１に据え付ける際、前面グリル６の取っ手穴部２７を介して、補助台枠１８、１９の左右の取っ手部２５に手を入れて空気調和機本体１の左右を安定して持てるため壁面との距離と関係なく据付が簡単にできるばかりでなく、補助台枠１８、１９の取っ手部２５と前面グリル６の取っ手リブ３１を挟んで持てるため、より強固な安定した据付作業とすることができる。
【００９１】
また、補助台枠１８、１９の取っ手部２５と前面グリル６の補助台枠接触面３２が密着するから空気調和機本体１の剛性を高めることができる。
【００９２】
また、飾り桟８、８は、前面グリル６の取っ手穴部２７を被うから美観を向上させることができ、またネジ等を用いることなく簡単な係合で固定されているため、取り外し、取付も容易である。
【００９３】
また、補助台枠１８、１９が空気調和機本体１の側面を被うから美観を向上できるばかりでなく、補助台枠１８、１９は前側の掛け止め部２１と裏面から挿入した固定具２２で台枠５を挟み込んで固定されるから強固な固定とすることができる。
【００９４】
また、台枠５と補助台枠１８、１９は一体化することも可能で、一体化しても取っ手構造と側面のカバーの効果は同じであるが、別体とすることで他機種（たとえば壁掛け）の台枠を使用することも可能となり金型投資を押さえることができる。
【００９５】
また、左据付板３９、右据付板４０、前据付板４０を略同一高さとし、上部及び下部に略水平面を設けたから、天面カバー８０や底板１０の取付が容易となる。
【００９６】
また、天面カバー８０は、平板状の合成樹脂製で切り込みを入れて折り曲げ可能に形成されているため、軽量化できるばかりでなく、端面がエッジでなく端面の処理が不用であり、また、平板状の市販品材料を切断加工して形成するため高価な金型も不要で、製品の包装サイズも縮小できる。
【００９７】
また、切り込みを上部に設けたから平板状にして使用したときには強度を確保できる。また両面テープ８２で接着固定されるためその取付作業も容易である。
【００９８】
また、底板１０の外周に上部に凸なる立ち上がり６８を設け、また配管穴切り欠き部７０を囲む立ち上がりリブ７１を設けたから配管穴切り欠き部７０を切り取った後でも底板１０の強度を確保でき、また立ち上がり６８と立ち上がりリブ７１が底板１０を囲むから配管の結露水を保持できて、水滴の滴下を防止できる。
【００９９】
また、底板１０を後底板６７と前底板６６で一部重合して構成し、重合した底板１０の上面一端に後底板６７と一体に形成したドレンホース７７を挟み込むドレンホース固定部７４を設けたからドレンホース７７の中間での波打ちをなくし、排水不良を防ぐことができ、余分な部品も不要である。
【０１００】
また、ドレンホース７７の取付もただ単に上部から挿入するだけで良いから施工も簡単である。
【０１０１】
また、ドレンホース固定部７４下側の穴７６の下部を前底板６６が被っているから穴７６での結露水の漏れもない。
【０１０２】
また、ドレンホース固定部７４を左右に設けたから配管貫通穴４８の位置に応じて選択して使用することができる。
【０１０３】
【発明の効果】
上記実施の形態の説明から明らかなように、請求項１に記載の本発明は、正面または上方に吸い込み口を有し、正面の下方に吹き出し口を有し、居室内コーナーの２方向の壁に取り付けられる空気調和機の据付装置において、空気調和機本体は、合成樹脂で形成した台枠、前面グリル、吹き出し口、吸入グリル、熱交換器、補助配管を有し、前記空気調和機本体を据え付ける据付板を、壁面２面に取り付ける左据付板、右据付板と、左右両端に複数個設けた水平な長穴状の固定穴を介して前記左据付板、右据付板と連結固定する前据付板で構成し、前記前据付板の上部には、前記台枠の背面上部に形成した本体掛け部が係合する空気調和機支持部を設け、前記前据付板の下部には、前記台枠の背面下部に形成した抜け止め部が係合する空気調和機固定部を設けたものであって、据付板３点で三角柱形状を構成して据付板のみで強固な据付構成を形成できるから、空気調和機本体の台枠の合成樹脂化が可能となり、そのため空気調和機本体が軽量化できて取り扱い性や据付性を向上させることができる。
【０１０４】
また、前据付板と空気調和機本体の台枠が直接係合して取付られるから、据付板の取付誤差に関係なく前据付板と空気調和機本体との安定した据付構造を確保できる。
【０１０５】
また、前据付板の左右両端に複数個設けた水平な長穴状の据付板固定穴を介して前記前据付板を左据付板、右据付板と連結固定したものであり、空気調和機を据付ける２面の壁の間の角度がばらついていても長穴が調整代となり据付が容易にできる。
【０１０６】
請求項２に記載の本発明は、前据付板の正面下方の中央に補助配管貫通長穴を設けると共に、台枠の裏面に収納した補助配管を、前記補助配管貫通長穴を介して前据付板の裏面側に導出したものであり、補助配管の位置が据付板で構成する３角形状のほぼ中央となり、配管貫通穴の位置がいずれであっても配管の引き回しが容易で曲げ加工の作業性が向上する。
【０１０７】
請求項３に記載の本発明は、左据付板、右据付板に、壁に接する壁取付部と上部を内側に水平に折り曲げた上部折り曲げ部を設け、前記壁取付部には複数のネジ座を設け、また上部折り曲げ部には複数のスリット穴を設け、前記ネジ座とスリット穴を同一垂直線上に形成し、縦方向に長穴を有する天井当て金具を、前記スリット穴に上部から挿通すると共に、前記天井当て金具を上下調節自在にネジで前記ネジ座に固定したものであり、天井当て金具を縮小すると、包装サイズが小型化でき、また金具の変形を防止できる。
【０１０８】
また、天井当て金具を伸長すると天井と据付板の距離を最適にできて空気調和機の据付け高さを確保することができる。
【０１０９】
また、左据付板、右据付板の上部折り曲げ部にスリット穴を設けて天井当て金具を挿入して設けているから、天井当て金具の上下の可動動作が安定し、壁取付部に凸状のネジ座を設けているからネジの先端が据付板の背面に突き出すこともない
請求項４に記載の本発明は、台枠の左右外側に、一端は平板状で壁面に沿う壁接触面を形成した補助台枠を設け、前記補助台枠を被う前面グリルを設け、その前面グリルの正面左右に前記補助台枠を臨む取っ手穴部を設け、前記補助台枠または前記前面グリルのいずれか一方または両方に取っ手構造を形成すると共に前記取っ手穴部を被う飾り桟を設けたものであり、壁面の距離と関係なく空気調和機本体の左右に容易に手をかけて空気調和機本体を安定して持ち上げることができて据付性が向上する。
【０１１０】
また補助台枠が空気調和機本体の側面を被い、飾り桟が取っ手穴部を被うことにより、美観を向上させることもできる。
【０１１１】
請求項５に記載の本発明は、左据付板、右据付板、前据付板を、それぞれの据付板上部で略水平面を形成するように略同一高さに設け、その上部に折り曲げ可能な平板状の合成樹脂製の天面カバーを設けたものであり、据付板で平坦な取付面が形成されて、天面カバーの取付が容易にできる。
【０１１２】
また、天面カバーが、平板状の合成樹脂製で切り込みを入れて折り曲げ可能に形成されているため、天面カバーを軽量化することができ、また端面がエッジでなく端面の処理が不用であり、また、平板状の市販品材料を切断加工して形成するため高価な金型も不要で、製品の包装サイズも縮小できる。
【０１１３】
請求項６に記載の本発明は、左据付板、右据付板、前据付板を、それぞれの据付部下部で略水平面を形成するように略同一高さに設け、その下部を被って底板を設け、その底板に、底板の外周に上部に凸なる立ち上がりと、配管穴切り欠き部を囲む立ち上がりリブを設けたものであり、上記同様に据付板で平坦な取付面を形成できて、底板の取付が容易にできる。
【０１１４】
また、底板の配管穴切り欠き部を切り取った後でも底板の強度を確保でき、立ち上がりと立ち上がりリブが底板を囲むから配管の結露水を保持できて、水滴の滴下を防止できる。
【０１１５】
請求項７に記載の本発明は、底板を後底板と前底板で一部重合して構成し、重合した底板の上面一端に底板と一体に形成したドレンホース固定部を設けたものであり、ドレンホースの中間での波打ちをなくし、排水不良を防ぐことができ、余分な部品も不要である。
【図面の簡単な説明】
【図１】本発明の実施の形態を示す空気調和機の下方からの斜視図
【図２】同空気調和機の上方からの斜視図
【図３】同空気調和機の分解斜視図
【図４】同空気調和機の本体台枠の裏面斜視図
【図５】同空気調和機の要部断面図
【図６】同空気調和機の要部断面図
【図７】同空気調和機の要部分解斜視図
【図８】同空気調和機の要部分解斜視図
【図９】同空気調和機の底板の斜視図
【図１０】同空気調和機の底板の要部斜視図
【図１１】同空気調和機の天面カバーの要部拡大斜視図
【図１２】同空気調和機の天面カバーの斜視図図
【図１３】同空気調和機の補助配管の接続状態を示す平面図
【図１４】同空気調和機の据付板の設置状態を示す平面図
【図１５】図同空気調和機の据付板の設置状態を示す要部拡大正面図
【図１６】従来の空気調和機の一部切欠き分解斜視図
【図１７】同空気調和機の平面図
【図１８】同空気調和機の配管接続を示す平面図
【図１９】同空気調和機のドレンホース接続を示す平面図
【符号の説明】
１  空気調和機本体
２，３   吸い込み口
４  吹き出し口
５  台枠
６  前面グリル
７  吸入グリル
８  飾り桟
１０  底板
１２  本体掛け部
１３  抜け止め部
１４  熱交換器
１５  補助配管
１８  補助台枠
１９  補助台枠
２３  壁接触面
２７  取っ手穴部
３９  左据付板
４０  右据付板
４１  前据付板
４３  壁取付部
４４  上部折り曲げ部
５１  スリット穴
５３  天井当て金具
５５  ネジ座
５６  長穴
６０  空気調和機支持部
６２  据付板固定穴
６３  補助配管貫通長穴
６５  空気調和機固定部
６８  立ち上がり
７１  立ち上がりリブ
７４  ドレンホース固定部
８０  天面カバー
【図１】
0003690336.tif 000002
【図２】
0003690336.tif 000003
【図３】
0003690336.tif 000004
【図４】
0003690336.tif 000005
【図５】
0003690336.tif 000006
【図６】
0003690336.tif 000007
【図７】
0003690336.tif 000008
【図８】
0003690336.tif 000009
【図９】
0003690336.tif 000010
【図１０】
0003690336.tif 000011
【図１１】
0003690336.tif 000012
【図１２】
0003690336.tif 000013
【図１３】
0003690336.tif 000014
【図１４】
0003690336.tif 000015
【図１５】
0003690336.tif 000016
【図１６】
0003690336.tif 000017
【図１７】
0003690336.tif 000018
【図１８】
0003690336.tif 000019
【図１９】
0003690336.tif 000020